(57)【要約】【課題】乗物用カップホルダの飲物容器の取り出し易さを向上させること。【解決手段】上側から差し込まれた飲物容器Ｃを外周側から囲い込んだ形に保持する囲い部２を有するカップホルダ１であって、囲い部２の内周面が、互いに断続的な同心かつ同径の円弧面を描く形となって周方向に延びる内周支持面２Ａと、この内周支持面２Ａより半径方向の外側に凹んだ形となって周方向に延びる凹面２Ｂと、を周方向に並んで有する構成とされている。【選択図】図５
2018131140.tif 000002
【特許請求の範囲】
【請求項１】
所定の開口方向から差し込まれた飲物容器を外周側から囲い込んだ形に保持する囲い部を有する乗物用カップホルダであって、
前記囲い部の内周面が、互いに連続的あるいは断続的な同心かつ同径の円弧面を描く形となって周方向に延びる内周支持面と、該内周支持面より半径方向の外側に凹んだ形となって周方向に延びる凹面と、を周方向に並んで有する乗物用カップホルダ。
【請求項２】
請求項１に記載の乗物用カップホルダであって、
前記囲い部が、前記所定の開口方向から差し込まれた飲物容器を前記内周支持面により差込方向に受け止めて外周側から支持する底抜けの支持構造とされている乗物用カップホルダ。
【請求項３】
請求項１又は請求項２に記載の乗物用カップホルダであって、
前記凹面が、前記囲い部の内周面における周方向の複数箇所に均等配置されている乗物用カップホルダ。
【発明の詳細な説明】
【技術分野】
【０００１】
本発明は、乗物用カップホルダに関する。詳しくは、所定の開口方向から差し込まれた飲物容器を外周側から囲い込んだ形に保持する囲い部を有する乗物用カップホルダに関する。
【背景技術】
【０００２】
従来、乗物用シートに設定されたテーブルに凹状のカップホルダが設けられた構成が知られている（特許文献１）。上記カップホルダは、その内部にセットされた飲物容器を底部に底付きさせつつ外周側から囲い込んだ形に支持することのできる有底の凹形状に形成されている。
【先行技術文献】
【特許文献】
【０００３】
【特許文献１】特開２００５−１９７号公報
【発明の概要】
【発明が解決しようとする課題】
【０００４】
しかし、上記カップホルダがテーブルに丸孔をあけてその外周部に飲物容器を嵌め込ませて支持するといった簡素な構成とされている場合、飲物容器を掴んでカップホルダから取り出す際に、飲物容器が撓んでカップホルダの外周部に押し付けられてしまい、抜けにくくなることがある。本発明は、上記問題を解決するものとして創案されたものであって、本発明が解決しようとする課題は、乗物用カップホルダの飲物容器の取り出し易さを向上させることにある。
【課題を解決するための手段】
【０００５】
上記課題を解決するために、本発明の乗物用カップホルダは次の手段をとる。
【０００６】
第１の発明は、所定の開口方向から差し込まれた飲物容器を外周側から囲い込んだ形に保持する囲い部を有する乗物用カップホルダである。囲い部の内周面が、互いに連続的あるいは断続的な同心かつ同径の円弧面を描く形となって周方向に延びる内周支持面と、この内周支持面より半径方向の外側に凹んだ形となって周方向に延びる凹面と、を周方向に並んで有する。
【０００７】
この第１の発明によれば、囲い部内に差し込まれた飲物容器を掴んで引き抜く際、その掴まれた力によって飲物容器の一部が膨らむ形に押し撓まされても、囲い部の凹面によってその撓み量が逃がされるようになる。それにより、飲物容器が内周支持面に押し付けられにくくなるため、飲物容器を取り出しやすくすることができる。
【０００８】
第２の発明は、上述した第１の発明において、次の構成とされているものである。囲い部が、所定の開口方向から差し込まれた飲物容器を内周支持面により差込方向に受け止めて外周側から支持する底抜けの支持構造とされている。
【０００９】
この第２の発明によれば、囲い部の内周支持面に飲物容器が押し付けられた状態にセットされる構成であっても、囲い部の凹面により、飲物容器を引き抜く際の飲物容器の膨らみを逃がして飲物容器を取り出しやすくすることができる。
【００１０】
第３の発明は、上述した第１又は第２の発明において、次の構成とされているものである。凹面が、囲い部の内周面における周方向の複数箇所に均等配置されている。
【００１１】
この第３の発明によれば、囲い部の凹面が周方向に広く分布するようになるため、飲物容器が周方向のどの部分で膨らむように掴まれても、飲物容器の膨らみを適切に逃がしやすくすることができる。
【図面の簡単な説明】
【００１２】
【図１】実施例１の乗物用カップホルダの概略構成を表した斜視図である。
【図２】カップホルダに飲物容器がセットされた状態を表した斜視図である。
【図３】図２の状態を飲物容器を模式化して表した平面図である。
【図４】カップホルダ内の飲物容器が掴まれた状態を表した斜視図である。
【図５】図４の状態を飲物容器を模式化して表した平面図である。
【図６】飲物容器をカップホルダから取り出した状態を表した斜視図である。
【発明を実施するための形態】
【００１３】
以下に、本発明を実施するための形態について、図面を用いて説明する。
【実施例１】
【００１４】
始めに、実施例１のカップホルダ１（乗物用カップホルダ）の構成について、図１〜図６を用いて説明する。なお、以下の説明において、前後上下左右等の各方向を示す場合には、各図中に示されたそれぞれの方向を指すものとする。本実施例のカップホルダ１は、図１に示すように、航空機用シートのシートバックＳＢの背面部に取り付けられたテーブル１０に形成されている。上記テーブル１０は、小物置きとしての使用が可能な略平板状の構成とされて、シートバックＳＢの背面部に対し幅方向に延びるヒンジ軸１０Ａにより起倒回転可能にヒンジ連結された構成とされている。
【００１５】
上記連結により、テーブル１０は、シートバックＳＢの背面部に折り畳まれた格納位置と、同格納位置から後側に倒されて展開された使用位置と、の間で切り換えられるようになっている。そして、上記テーブル１０に対して、上述したカップホルダ１は、使用状態におけるテーブル１０の一部に高さ方向に寸胴状に貫通する形にあけられた略丸孔状の貫通孔１１によって、飲物容器Ｃを上側から差し込んで外周側から囲い込んだ状態に保持することのできる囲い部２を有した形状となって形成されている。
【００１６】
上記囲い部２は、紙コップのような逆円錐状に傾斜した外周面を持つ飲物容器Ｃをその開口内に上側から差し込むことで、図２〜図３に示すように、同飲物容器Ｃの外周面をその内周面により差込方向に受け止めて支持する底抜けの支持構造とされている。詳しくは、上記囲い部２の内周面は、互いに断続的な同心かつ同径の円弧面を描くように周方向に延びる内周支持面２Ａと、同内周支持面２Ａより半径方向の外側に凹んだ形となって周方向に延びる凹面２Ｂと、を周方向に並んで有する形に形成されている。
【００１７】
具体的には、上述した各内周支持面２Ａは、それらの互いに同心かつ同径の円弧面を描く内周面形状によって、上述した囲い部２の開口内に上側から差し込まれた飲物容器Ｃを、それらの描く断続的な円形状と飲物容器Ｃの正円状の外周面とがマッチする位置にて、差込方向（重力方向）に嵌合させた状態にして係止させるようになっている。また、各凹面２Ｂは、上述した各内周支持面２Ａに飲物容器Ｃの外周面が当たって係止された状態において、飲物容器Ｃの外周面との間に半径方向の隙間Ｔをそれぞれ形成した状態をとるようになっている。上述した各凹面２Ｂも、互いに断続的な同心且つ同径の円弧面を描くように周方向に延びる面形状に形成されている。
【００１８】
上述した各凹面２Ｂは、囲い部２の内周面における周方向の４箇所の位置に均等に分散配置されて形成されている。上述した各凹面２Ｂは、それぞれ、図４〜図５に示すように、上述した囲い部２にセットされた飲物容器Ｃが使用者によって掴まれた際に、その掴まれた力によって飲物容器Ｃの一部（掴まれていない部分など）が押し膨らまされる形に撓まされた場合に、それらの凹形状によって飲物容器Ｃの撓み量を逃がすように機能するものとなっている。それにより、飲物容器Ｃが各内周支持面２Ａに押し付けられにくくなるため、図６に示すように、飲物容器Ｃを簡便に取り出せるようになる。
【００１９】
なお、上述したテーブル１０は、金属パネル製の基材に樹脂製のカバー材が被せ付けられた構成となっており、上述したカップホルダ１を構成する囲い部２は、樹脂製のカバー材によって内周面が形作られた構成とされている。上記囲い部２は、その内部にセットされた飲物容器Ｃをその樹脂製のカバー材によって覆われた各内周支持面２Ａの上縁部分によって外周側から当てて支持するが、飲物容器Ｃの重量により飲物容器Ｃが上記各内周支持面２Ａの上縁部分に当たって支持される位置から重力方向にズレ落ちた場合でも、各内周支持面２Ａの高さ幅により飲物容器Ｃを高さ方向の広い範囲に亘って面当接させて外周側から支持することができるようになっている。
【００２０】
以上をまとめると、本実施例のカップホルダ１は次のような構成となっている。すなわち、所定の開口方向（上方向）から差し込まれた飲物容器（飲物容器Ｃ）を外周側から囲い込んだ形に保持する囲い部（囲い部２）を有する乗物用カップホルダ（カップホルダ１）である。囲い部（囲い部２）の内周面が、互いに断続的な同心かつ同径の円弧面を描く形となって周方向に延びる内周支持面（内周支持面２Ａ）と、この内周支持面（内周支持面２Ａ）より半径方向の外側に凹んだ形となって周方向に延びる凹面（凹面２Ｂ）と、を周方向に並んで有する。
【００２１】
このような構成とされていることにより、囲い部（囲い部２）内に差し込まれた飲物容器（飲物容器Ｃ）を掴んで引き抜く際、その掴まれた力によって飲物容器（飲物容器Ｃ）の一部が膨らむ形に押し撓まされても、囲い部（囲い部２）の凹面（凹面２Ｂ）によってその撓み量が逃がされるようになる。それにより、飲物容器（飲物容器Ｃ）が内周支持面（内周支持面２Ａ）に押し付けられにくくなるため、飲物容器（飲物容器Ｃ）を取り出しやすくすることができる。
【００２２】
また、囲い部（囲い部２）が、所定の開口方向（上方向）から差し込まれた飲物容器（飲物容器Ｃ）を内周支持面（内周支持面２Ａ）により差込方向に受け止めて外周側から支持する底抜けの支持構造とされている。このような構成とされていることにより、囲い部（囲い部２）の内周支持面（内周支持面２Ａ）に飲物容器（飲物容器Ｃ）が押し付けられた状態にセットされる構成であっても、囲い部（囲い部２）の凹面（凹面２Ｂ）により、飲物容器（飲物容器Ｃ）を引き抜く際の飲物容器（飲物容器Ｃ）の膨らみを逃がして飲物容器（飲物容器Ｃ）を取り出しやすくすることができる。
【００２３】
また、凹面（凹面２Ｂ）が、囲い部（囲い部２）の内周面における周方向の複数箇所に均等配置されている。このような構成とされていることにより、囲い部（囲い部２）の凹面（凹面２Ｂ）が周方向に広く分布するようになるため、飲物容器（飲物容器Ｃ）が周方向のどの部分で膨らむように掴まれても、飲物容器（飲物容器Ｃ）の膨らみを適切に逃がしやすくすることができる。
【００２４】
以上、本発明の実施形態を１つの実施例を用いて説明したが、本発明は上記実施例のほか各種の形態で実施することができるものである。例えば、本発明の乗物用カップホルダは、航空機の他、自動車や鉄道等の車両や船舶等の様々な乗物用に供することができるものである。また、乗物用カップホルダは、乗物内のシートに取り付けられるものの他、乗物の側壁等のボデーに取り付けられて設けられるものであってもよい。また、乗物用カップホルダは、テーブル等の乗物内の装備品に穴あけされるなどして付随して構成されるものの他、単独で囲い部を持つ形に形成されたものであってもよい。
【００２５】
また、乗物用カップホルダは、必ずしも囲い部内に差し込まれた飲物容器を内周支持面により差込方向に受け止めて外周側から支持する底抜けの支持構造とされたものでなくてもよく、有底の構成とされて、底置きされた飲物容器を外周側から隙間を有した状態に囲い込んだ状態として保持する構成とされたものであってもよい。また、囲い部の凹面は、囲い部の内周支持面より半径方向の外側に凹んだ形となって周方向に延びる形状とされたものであればよく、内周面が円弧面で構成されるものでなくてもよい。
【００２６】
また、囲い部の内周面は、内周支持面と凹面とを少なくとも１つずつ周方向に並んで有する構成とされたものであればよく、凹面が周方向の３箇所以下又は５箇所以上に並んで形成される構成であってもよい。なお、凹面が周方向の１箇所にのみ形成される構成では、内周支持面も周方向の１箇所にのみ形成される構成となる。上述した凹面と内周支持面との周方向に延びる長さ関係は、どちらが長くてもよく、また、同じであってもよい。また、凹面が周方向の複数箇所に形成される場合において、各凹面は互いの周方向の長さが均一となっていなくてもよく、また、周方向に均等配置されていなくてもよい。
【００２７】
また、囲い部の開口方向は、上方向の他、横向きや横向きに傾いた方向であってもよい。また、囲い部にセットされる飲物容器は、逆円錐状に傾斜した外周面を持つ形とされたものの他、ペットボトル等の寸胴な円筒形状から成るものであってもよい。
【符号の説明】
【００２８】
１      カップホルダ（乗物用カップホルダ）
２      囲い部
２Ａ    内周支持面
２Ｂ    凹面
１０    テーブル
１０Ａ  ヒンジ軸
１１    貫通孔
Ｃ      飲物容器
Ｔ      隙間
ＳＢ    シートバック
【図１】
2018131140.tif 000003
【図２】
2018131140.tif 000004
【図３】
2018131140.tif 000005
【図４】
2018131140.tif 000006
【図５】
2018131140.tif 000007
【図６】
2018131140.tif 000008